【事件の表示】
　特許第２８４２２１０号「画像データ転送装置」の請求項１ないし２に係る特許に対する特許異議の申立てについて、次のとおり決定する。
【結論】
　特許第２８４２２１０号の請求項１に係る特許を維持する。
【理由】
１．本件発明
　本件特許第２８４２２１０号の請求項１に係る発明（平成６年２月２２日出願、平成１０年１０月２３日設定登録）は、特許明細書及び図面の記載からみて、特許請求の範囲の請求項１に記載された事項により特定されるとおりのものと認める。
２．特許異議申立て理由の概要
　申立人小湊勇次は、請求項１に係る発明は、甲第１号証（特開平４−１３４９６８号公報、甲第２号証（特開昭６１−１９８９７０号公報）をもとに容易に発明をすることができたものであり、特許法第２９条第２項の規定により、特許を受けることができないものであるから、本件請求項１に係る発明の特許は取り消されるべきものである旨主張している。
３．甲各号証の記載
　甲第１号証には、以下のようなことが記載されている。
　「各機器間を接続する伝送媒体（ケーブル）内を通信される画像情報（画像クロック、画像データ、画像制御信号）が通信される際に、波形の立ち上がり、波形の立ち下がり等がなまったり、波形にオーバーシュートが発生して画像データや画像制御信号を画像クロックに基づいて取り込む際に、タイミング等の設定が難しく、特に生産部品数が多い場合は、予定していたタイミングよりずれ、両像データや画像制御信号を精度良く取り込むことができず、結果として画像欠落等を生じてしまう等の問題点があった。」（第（１）頁右下欄第９〜１９行目）、
　「第１図はこの発明の一実施例を示す画像制御装置の構成を説明するシステム外観図であり、２１は複写装置を構成するカラー接写装置で、・・・・・・・・７７は伝送媒体となる接続ケーブルで、画像クロック、画像データ、画像有効信号が通信される。
　１０７は編集装置で、所定のインターフェースを介して接続され、カラー複写装置２１から供給される画像クロックにより後述する画像編集処理を実行する。」（第（２）頁右上欄第６〜１９行目）、
　「５８はこの発明に係る信号発生手段を構成する信号発生手回路で、画像クロック（周期の異なるクロック１Ｔ、クロック２Ｔ、クロック４Ｔ、クロック８Ｔ）および画像識別信号ＶＥ、ＢＶＥを発生する。
　５９は画像クロックセレクタで、信号発生回路５８から直接供給される画像クロック（周期の異なるクロック１Ｔ、クロック２Ｔ、クロック４Ｔ、クロック８Ｔ）および画像識別信号ＶＥ、ＢＶＥまたは信号発生回路５８から送信され画像メモリ１０１を介して返信される画像クロックのいずれかをＣＰＵ２４の指示で選択する。
　６０は、複写装置から編集装置側、編集装置から複写装置へ、画像信号、画像クロック、画像識別信号等をＣＰＵ２４とＣＰＵ１００（画像編集装置側）間で受け渡すための信号線を接続するインターフェース用のコネクタである。」（第（２）頁右下欄第１２行目〜第（３）頁第８行目）、
　「このように構成された画像制御装置において、所定の同期信号に基づいて各種の画像信号を受信すると、同期調整手段（後述する第１の同期調整手段、第２の同期調整回路）が受信した所定の同期信号（画像クロツク４Ｔ、８Ｔ）に基づいて各種の画像信号の同期タイミングを調整し、伝送媒体等による信号タイミングずれを調整した各種の画像信号を後段の回路に入力することを可能とする。
　第３図は、第２図に示したセレクタ５３、５９の後段に設けられる第１の同期調整回路の一例を示す回路ブロック図であり、７５ａ〜７５ｊはＤ型のフリップフロップ（ＤＦＦ）で、画像クロック４Ｔの反転クロック（インバータにより画像クロック４Ｔが反転されたクロック）を入力として、ＤＦＦ７５ａが画像識別信号ＢＶＥを所定時間遅延した画像識別信号ＢＶＥ−Ａを後段のＤＦＦ７５ｆに入力する。ＤＦＦ７５ｆは画像クロック４Ｔの立ち上がりで取り込み、上記接続ケーブル７７による容量等によるふらつきを除去して受信した画像クロック４Ｔに再同期させた画像識別信号ＢＶＥ−Ｂを後段の各回路に供給する。
　同様に、ＤＦＦ７５ｂは画像識別信号ＶＥを所定時間遅延した画像識別信号ＶＥ−Ａを後段のＤＦＦ７５ｇに入力する。ＤＦＦ７５ｇは画像クロック４Ｔの立ち上がりで取り込み、上記接続ケーブル７７による容量等によるふらつきを除去して受信した画像クロック４Ｔに再同期させた画像識別信号ＶＥ−Ｂを後段の各回路に供給する。
　同様に、ＤＦＦ７５ｃは画像識別信号ＶＤを所定時間遅延した画像識別信号ＶＤ−Ａを後段のＤＦＦ７５ｈに入力する。ＤＦＦ７５ｈは画像クロック４Ｔの立ち上がりで取り込み、上記接続ケーブル７７による容量等によるふらつきを除去して受信した画像クロック４Ｔに再同期させた画像識別信号ＶＤ−Ｂを後段の各回路に供給する。
　同様に、ＤＦＦ７５ｄは画像クロック１Ｔを所定時間遅延した画像クロック１Ｔ−Ａを後段のＤＦＦ７５ｉに入力する。ＤＦＦ７５ｉは画像クロック４Ｔの立ち上がりで取り込み、上記接続ケーブル７７による容量等によるふらつきを除去して受信した画像クロック４Ｔに再同期させた画像クロック１Ｔ−Ｂを後段の各回路に供給する。
　同様に、ＤＦＦ７５ｅは画像クロック２Ｔを所定時間遅延した画像クロック２Ｔ−Ａを後段のＤＦＦ７５ｊに入力する。ＤＦＦ７５ｊは画像クロック４Ｔの立ち上がりで取り込み、上記接続ケーブル７７による容量等によるふらつきを除去して受信した画像クロック４Ｔに再同期させた画像クロック２Ｔ−Ｂを後段の各回路に供給する。
　第４図は、第３図に示した各信号タイミングを説明するタイミングチャートであり、第３図と同一のものには同じ符号を付してある。
　同図（ａ）に示すように、画像クロック４Ｔの立ち上がりを基準とした場合、画像識別信号ＢＶＥ、ＶＥ、画像信号ＶＤ、画像クロック１Ｔ、２Ｔは、接続ケーブル７７内の容量等の影響を受けて、画像クロック４Ｔの立ち上がり前後で変化する状態となる。
　そこで、上記ＤＦＦ７５ａ〜７５ｅに対して受信画像クロックとなる画像クロック４Ｔの反転クロックに同期させて画像識別信号ＢＶＥ、ＶＥ、画像信号ＶＤ、画像クロック１Ｔ、２Ｔを取り込み、後段のＤＦＦ７５ｆ〜７５ｊにより画像クロック４Ｔの立ち下がりで、画像クロック４Ｔに対して再同期した画像識別信号ＢＶＥ、ＶＥ、画像信号ＶＤ、画像クロック１Ｔ、２Ｔを図示しない各画像処理機構に供給する。これにより、接続ケーブル７７等による各信号位相ずれを矯正して、後段の位相回路を省略することができる。
　なお、この実施例では編集装置１０７から接続ケーブル７７を介して画像情報を複写装置２１に供給するシステムを例に説明したが、複写装置相互に通信可能なシステムにもこの発明を適用できる。また、同一基板内転送による位相ずれを発生するような回路にもこの発明を適用できる。」（第（３）頁左上欄第１０行目〜第（４）頁左上欄第６行目）、
　「複写装置側では、画像メモリ１０１よりの画像信号と画像クロックを使用するか、信号発生回路５８からの画像クロックまたはシェーディング補正回路５２から出力される画像信号を採用するかは、セレクタ５３、５９により選択される。
　例えば、複写装置２１に編集装置１０７が接続され、編集モードとして、第５図に示した操作パネルでＲ単色が選択された場合には、シェーディング補正回路５２によりシェーディング補正された入力画像信号ＩＮＶＤは、一旦画像メモリ１０１に取り込まれる。そして、１画素毎に、例えば０画素目の（Ｒ０＋Ｇ０＋Ｂ０）が加算されて、１画素毎に、相加平均値がＲ０信号として変換されて行き、最終的な出力画像信号ＯＵＴＶＤが生成される。そして、この出力画像信号ＯＵＴＶＤはコネクタ６０、セレクタ５３を通して対数変換回路５４に入力されて印字される。その際、画像メモリ１０１に供給された画像クロックそのものがセレクタ５９を介して対数変換回路５４に入力されるために、何らクロック同期調整処理が不要となる。」（第（７）頁右下欄第１９行目〜第（８）頁左上欄第２０行目）、
　「なお、上記実施例では画像データＶＤと画像クロック１Ｔ、２Ｔ、４Ｔ、８Ｔをコネクタ６０を通して受け渡す場合について説明したが、第１８図に示すように、複写装置側からは画像データＶＤと画像基本クロック（画像クロック８Ｔ（画像クロックの中でもっとも周波数の高いクロック））だけを編集装置に送るように構成しても良い。これにより、第１９図に示すように、編集装置側に分周器ＤＩＶ１〜ＤＩＶ３を設けて、画像基本クロック（画像クロック８Ｔ）から画像クロック１Ｔ、２Ｔ、４Ｔを作成するように構成すれば、画像データＶＤの高速転送が可能となる。」（第（８）頁右下欄第１０行目〜第（９）頁第１行目）、
　「この発明は、所定の同期信号に基づいて受信した各種の画像信号の同期クイミングを、受信した所定の同期信号に基づいて再調整する同期調整手段を設けたので、非常に簡単な回路構成で、伝送媒体等による画像情報位相ずれを容易に再同期させながら、受信した画像情報を所望の回路に供給できる。従って、画像情報受信後における同期タイミングずれがなくなり、信頼性の高いデータ通信処理が可能となる等の優れた効果を奏する。」（第（１０）頁右下欄第５〜１４行）。
　甲第２号証には、以下のようなことが記載されている。
　「プリンタ部と制御部が独立分離したプリンタの場合、画素クロック信号はプリンタ部で発生し、水平同期信号と画素クロック信号を制御部に送り、制御部では水平同期信号を画像信号送出の開始信号とし、画素クロックに同期して画像信号をプリンタ部に送出していた。しかしこのような方法をとると、プリンタ部と制御部の間のケーブルが長い場合にはプリンタ部の画素クロックに対して送られてくる画素信号の位相遅れが大きくなり、プリンタ部が受けとる画素信号は画素クロックと同期がとれなくなって画像みだれやデータ欠落などが生じるという問題があり、」（第（２）頁右上欄第１〜１２行目）、
　第２〜５図の構成を前提にして、「今、紙サイズ検知器３が現在セレクトされている紙サイズをカウンタ４に出力していて、光ディテクタ５がレーザビーム２３を検知すると検知信号Ｓ７がカウンタ４のロードパルスとして入力され、カウンタ４に紙サイズに対応した数値がプリセットされる。これにより零検出用ＮＯＲ回路３０１の出力信号３０２がＬＯＷレベルになり（第５図Ｔ１タイミング）、カウンタはリセット状態でなくなりクロック信号Ｓ４の立下がりによりカウントダウンが開始される（第５図Ｔ２タイミング）、カウントダウン開始後、紙サイズに合った分だけカウントされると、零検出用回路３０１の出力信号３０２は再びＨＩＧＨレベルとなる（第５図Ｔ３タイミング）、この信号３０２は水平同期信号発生回路７に入力され、所定のパルス幅をもつ水平同期信号Ｓ１が作られる。ここでは簡単な、立上がりによりトリガされるワンショット回路を用いている。
　一方制御部１００は内部にもつ画像メモリ１０に図示されない方法で予め画像信号を書き込んでおき、アドレスカウンタ９によるアドレス信号に従ってデータを読み出せるようにしてある。アドレスカウンタ９は、フリップフロップ３０３、１ラインのアドレスを出力するカウンタ９−２と走査線アドレスを出力するカウンタ９−１とから成り、水平同期信号Ｓ１が出力されるとフリップフロップ３０３のＱ出力３０５はＨＩＧＨレベルとなって（第４図Ｔ２タイミング）、カウンタ９−２は０よりカウントを開始し、画素クロック信号Ｓ３の立下がりによりカウントを行ない、カウンタ９−１と共に、画像メモリ１０の番地を指定する。一方カウンタ９−１はカウンタ９−２キヤリイ信号３０４が出力される（第４図Ｔ３タイミング）ごとに１つずつカウントアップされ、その出力Ｙ０〜Ｙｍは走査線のアドレスを出力する。
　第４図のＣＴ０〜ＣＴｎはアドレスカウンタ９の出力状態を示していて、ＣＴ０は０番地が読み出されるタイミング、ＣＴ１は画像メモリ１０の１番地、ＣＴｎはｎ番地が読み出されるタイミングを表わしている。ラッチ１１は画素クロック信号Ｓ３の立上がりによりラッチされ、ラッチ１１の出力Ｓ２は第４図のようなタイミング波形となる。ここで（ｎ）はメモリｎ番地のデータを示す。このＳ２はプリンタ部入力部２のラッチ１２に入力されていて、ラッチ１２はタイミング遅れを考慮して画素クロックの立下がりによりラッチされるようになっている。」（第（３）頁右上欄第３行目〜第（４）頁左上欄第３行目）、
　「画像データ読み出し用の同期信号を発生させるための計時用クロック発生器をプリンタ部にもたせ、さらに制御部で画像信号送出の同期をとる画素クロック信号の発生器を制御部内にもたせることにより、
　１．画像信号と画素クロックの同期ずれがなくデータ欠落のない、安定した画像記録ができる。」（第（４）頁右下欄第１１行目〜第（５）頁左上欄第２行目）。
４．対比・判断
　ここで本件請求項１に係る発明と、甲第１号証及び甲第２号証記載のものとを対比する。甲第１号証記載のものは、画像データを出力するために使用した同期信号を画像データと共に送り、同期信号に基づいて画像データの同期をとるものであり、甲第２号証記載のものは、プリンタ側に画素クロックと画像信号を送信し、該画素クロックで該画素信号との同期をとるようしたものである。しかしながら、甲第１号証及び甲第２号証記載のものには、本件請求項１に係る発明の構成要件である「画像データ受信装置から出力された画像データ転送同期信号を受信し、これから再同期信号を生成する再同期信号生成部」は記載されているとは認められない。
　そして、本件請求項１に係る発明は上記構成により、明細書記載の「画像データ受信装置から送られてきた同期信号に基づいて再同期信号が作成され、これに同期して画像データが画像データ受信装置に送出されるので、画像データ受信装置は常に再同期信号と同期した画像データを受信することができる」という格別な効果を奏するものと認められる。
　よって、請求項１に係わる発明が、当該甲各号証にのいずれかに記載の発明であるとも、また、当該甲各号証に記載の発明から容易に推考し得るものとも認められない。
５．むすび
　したがって、特許異議申立ての理由及び証拠によっては、本件請求項１に係る特許を取り消すことはできない。
　また、他に本件請求項１に係る特許を取り消すべき理由を発見しない。
　よって、結論のとおり決定する。
【異議決定日】
平成１１年１０月２５日（１９９９．１０．２５）